(57)【要約】【課題】  ムービングバリューチェーンシステム及びその方法の提供。【解決手段】  遠端注文装置で無線伝送方式でサービスセンターサーバーに対して商品及び又はサービスを注文し、サービスセンターサーバーがその注文情報を、ネットワークメカニズムを透過して特約商店に伝送し、特約商店が注文情報に基づき商品及び又はサービスを提供する。サービスセンターサーバーは注文情報に基づき取引金額を計算した後、今回の取引金額をアドレス通信番号と共にカード発行銀行に伝送し、カード発行銀行がアドレス通信番号に対応するクレジットカード番号を探し、信用状態に問題がないことを確認した後、授権コードをサービスセンターサーバーに伝送し、クレジットカードを使用し無線方式でリアルタイムで商品注文と取引完成できるようにする。【選択図】        図１
0003119960.tif 000002
【実用新案登録請求の範囲】
【請求項１】
ムービングバリューチェーンシステムにおいて、
少なくとも一つの遠端注文装置とされ、各遠端注文装置が一つの入力装置と、一つの無線通信装置を具え、該入力装置が注文情報の入力に用いられ、該注文情報が注文したい商品及び又はサービスの項目及びその数量を定め、該無線通信装置が一つのアドレス通信番号を定義し、並びにそのアドレス通信番号、及び上述の注文情報を無線方式で伝送する、上記少なくとも一つの遠端注文装置と、
クレジットカードネットワークメカニズムとされ、カード発行銀行、及び複数の特約商店に接続され、該カード発行銀行が番号データベース及び信用状態データベースを具え、該番号データベースが少なくとも一つのアドレス通信番号及びそれに対応するクレジットカード番号を保存し、且つ該信用状態データベースが該クレジットカード番号の信用状態を保存する、上記クレジットカードネットワークメカニズムと、
サービスセンターサーバーとされ、該クレジットカードネットワークメカニズムに接続され、該サービスセンターサーバーが該遠端注文装置の無線通信装置の無線ログイン接続を受け、並びに該無線通信装置の伝送するアドレス通信番号及び上述の注文情報を受信でき、並びに該アドレス通信番号を該クレジットカードネットワークメカニズムを経由してカード発行銀行に伝送し、該カード発行銀行が該アドレス通信番号に基づき該番号データベース中より対応するクレジットカード番号を探し出し、これにより該信用状態データベース中においてその信用状態に問題がないことを確認した後に、授権コードを該サービスセンターサーバーに伝送し、これによりサービスセンターサーバーが該特約商店に商品及び又はサービスを提供するよう促して取引を完成する、上記サービスセンターサーバーと、
を具え、遠端注文装置が暗号チェックメカニズムを具え、それが入力装置で入力された個人暗号にエラー無しと判断した後に、無線通信装置が注文情報を無線伝送することを特徴とする、ムービングバリューチェーンシステム。
【請求項２】
請求項１に記載のムービングバリューチェーンシステムにおいて、無線通信装置がオンボードユニットとされ、アドレス通信番号が携帯電話の携帯電話番号とされ、且つ入力装置が携帯電話の入力キーボードとされたことを特徴とする、ムービングバリューチェーンシステム。
【請求項３】
請求項１に記載のムービングバリューチェーンシステムにおいて、サービスセンターサーバーが顧客データベース及び安全チェックメカニズムを具え、該顧客データベースが複数の顧客基本データ及びそのアドレス通信番号を保存し、該安全チェックメカニズムは無線通信装置が伝送したアドレス通信番号を顧客データベース中の対応する顧客基本データと対照しエラー無しと判断した後に、サービスセンターサーバーがアドレス通信番号をクレジットカードネットワークメカニズムを経由してカード発行銀行に伝送するのを許可することを特徴とする、ムービングバリューチェーンシステム。
【請求項４】
ムービングバリューチェーンシステムにおいて、
少なくとも一つの遠端注文装置とされ、各遠端注文装置が一つの入力装置と、一つの無線通信装置を具え、該入力装置が注文情報の入力に用いられ、該注文情報が注文したい商品及び又はサービスの項目及びその数量を定め、該無線通信装置が上述の注文情報を無線方式で伝送する、上記少なくとも一つの遠端注文装置と、
ネットワークメカニズムとされ、複数の特約商店に接続された、上記ネットワークメカニズムと、
サービスセンターサーバーとされ、該ネットワークメカニズムに接続され、該サービスセンターサーバーが該遠端注文装置の無線通信装置の無線ログイン接続を受け、並びに上述の注文情報を受信でき、並びに該注文情報を該ネットワークメカニズムを経由してこれら特約商店に伝送し、これら特約商店に商品及び又はサービスを提供するよう促して取引を完成させる、上記サービスセンターサーバーと、
を具え、サービスセンターサーバーが、特約商店の提供する商品情報を保存する商品データベースと、複数の特約情報提供者が提供するサービス情報を保存するサービス情報データベースを具えたことを特徴とする、ムービングバリューチェーンシステム。
【請求項５】
請求項４に記載のムービングバリューチェーンシステムにおいて、サービスセンターサーバーが、インタラクティブ音声応答装置を具え、これにより商品及び又はサービス情報を音声方式で自動応答することを特徴とする、ムービングバリューチェーンシステム。
【考案の詳細な説明】
【技術分野】
【０００１】
本考案は一種のムービングバリューチェーン（Ｍｏｖｉｎｇ  Ｖａｌｕｅ  Ｃｈａｉｎ；ＭＶＣ）システム及びその方法に係り、特に、移動中に無線方式で商品及び又はサービスを注文できるシステム及びその方法であって、さらに、クレジットカードでリアルタイムで無線取引を完成できるシステム及びその方法に関する。
【背景技術】
【０００２】
現在機動車両上に取り付けられるシステムに、ＧＳＭ（Ｇｌｏｂａｌ  Ｓｙｓｔｅｍ  ｆｏｒ  Ｍｏｂｉｌｅ）無線電話システムがあり、ドライバーと友人との連絡に供されるほか、ドライバーがサービスセンターにダイアルして各種情報サービス、例えば株式情報、気象予報、道路交通状況、ニュース、デパートセール情報、星占い等の情報を提供するよう要求するのに供される。このほか、機動車両には通常、ＧＰＳ（Ｇｌｏｂａｌ  Ｐｏｓｉｔｉｏｎｉｎｇ  Ｓｙｓｔｅｍ）が配置され、機動車両に当時の位置情報、及び付近の商店の情報を提供したり、或いはドライバーの行き先のホテル宿舎及び周辺商店の情報（例えば、旅館、レストラン、映画館、観光ポイント等の位置情報）を検索するのに供され、これによりドライバーは機動車両の走行期間に、続けて最新情報及び必要な情報を掌握することができる。
【０００３】
しかし、上述の周知のシステム中、ドライバーがサービスセンターにダイアルする時、ドライバーのサービスセンターの提供する情報により各種の工商業の情報を獲られるに過ぎず、心ひかれる商品或いはサービスがあっても、ドライバーはリアルタイムに商品を購入或いはサービスを要求することはできない。またドライバーが周知のＧＳＭ無線電話システムで音声により商店に商品の予約をしたり、或いはサービスセンターに代理予約を委任する時、ドライバーは走行中に予約してリアルタイムに清算できないため、実際には取引は完成しておらず、往々にしてドライバーが商店に到達した時には、予約商品が他人に転売されているという状況が発生し、予約が無効となることがあり、経常的にドライバーと商店を困らせていた。
【考案の開示】
【考案が解決しようとする課題】
【０００４】
本考案の主要な目的は、一種のムービングバリューチェーンシステムを提供し、移動中にリアルタイムで商品及び又はサービスの注文ができるようにすることにある。
【０００５】
本考案のもう一つの目的は、一種のムービングバリューチェーンシステムを提供し、クレジットカードを使用し無線方式でリアルタイムで取引を完成できるようにすることにある。
【課題を解決するための手段】
【０００６】
請求項１の考案は、ムービングバリューチェーンシステムにおいて、
少なくとも一つの遠端注文装置とされ、各遠端注文装置が一つの入力装置と、一つの無線通信装置を具え、該入力装置が注文情報の入力に用いられ、該注文情報が注文したい商品及び又はサービスの項目及びその数量を定め、該無線通信装置が一つのアドレス通信番号を定義し、並びにそのアドレス通信番号、及び上述の注文情報を無線方式で伝送する、上記少なくとも一つの遠端注文装置と、
クレジットカードネットワークメカニズムとされ、カード発行銀行、及び複数の特約商店に接続され、該カード発行銀行が番号データベース及び信用状態データベースを具え、該番号データベースが少なくとも一つのアドレス通信番号及びそれに対応するクレジットカード番号を保存し、且つ該信用状態データベースが該クレジットカード番号の信用状態を保存する、上記クレジットカードネットワークメカニズムと、
サービスセンターサーバーとされ、該クレジットカードネットワークメカニズムに接続され、該サービスセンターサーバーが該遠端注文装置の無線通信装置の無線ログイン接続を受け、並びに該無線通信装置の伝送するアドレス通信番号及び上述の注文情報を受信でき、並びに該アドレス通信番号を該クレジットカードネットワークメカニズムを経由してカード発行銀行に伝送し、該カード発行銀行が該アドレス通信番号に基づき該番号データベース中より対応するクレジットカード番号を探し出し、これにより該信用状態データベース中においてその信用状態に問題がないことを確認した後に、授権コードを該サービスセンターサーバーに伝送し、これによりサービスセンターサーバーが該特約商店に商品及び又はサービスを提供するよう促して取引を完成する、上記サービスセンターサーバーと、
を具え、遠端注文装置が暗号チェックメカニズムを具え、それが入力装置で入力された個人暗号にエラー無しと判断した後に、無線通信装置が注文情報を無線伝送することを特徴とする、ムービングバリューチェーンシステムとしている。
請求項２の考案は、請求項１に記載のムービングバリューチェーンシステムにおいて、無線通信装置がオンボードユニットとされ、アドレス通信番号が携帯電話の携帯電話番号とされ、且つ入力装置が携帯電話の入力キーボードとされたことを特徴とする、ムービングバリューチェーンシステムとしている。
請求項３の考案は、請求項１に記載のムービングバリューチェーンシステムにおいて、サービスセンターサーバーが顧客データベース及び安全チェックメカニズムを具え、該顧客データベースが複数の顧客基本データ及びそのアドレス通信番号を保存し、該安全チェックメカニズムは無線通信装置が伝送したアドレス通信番号を顧客データベース中の対応する顧客基本データと対照しエラー無しと判断した後に、サービスセンターサーバーがアドレス通信番号をクレジットカードネットワークメカニズムを経由してカード発行銀行に伝送するのを許可することを特徴とする、ムービングバリューチェーンシステムとしている。
請求項４の考案は、ムービングバリューチェーンシステムにおいて、
少なくとも一つの遠端注文装置とされ、各遠端注文装置が一つの入力装置と、一つの無線通信装置を具え、該入力装置が注文情報の入力に用いられ、該注文情報が注文したい商品及び又はサービスの項目及びその数量を定め、該無線通信装置が上述の注文情報を無線方式で伝送する、上記少なくとも一つの遠端注文装置と、
ネットワークメカニズムとされ、複数の特約商店に接続された、上記ネットワークメカニズムと、
サービスセンターサーバーとされ、該ネットワークメカニズムに接続され、該サービスセンターサーバーが該遠端注文装置の無線通信装置の無線ログイン接続を受け、並びに上述の注文情報を受信でき、並びに該注文情報を該ネットワークメカニズムを経由してこれら特約商店に伝送し、これら特約商店に商品及び又はサービスを提供するよう促して取引を完成させる、上記サービスセンターサーバーと、
を具え、サービスセンターサーバーが、特約商店の提供する商品情報を保存する商品データベースと、複数の特約情報提供者が提供するサービス情報を保存するサービス情報データベースを具えたことを特徴とする、ムービングバリューチェーンシステムとしている。
請求項５の考案は、請求項４に記載のムービングバリューチェーンシステムにおいて、サービスセンターサーバーが、インタラクティブ音声応答装置を具え、これにより商品及び又はサービス情報を音声方式で自動応答することを特徴とする、ムービングバリューチェーンシステムとしている。
【考案の効果】
【０００７】
本考案は移動通信装置を使用し、移動中にリアルタイムで商品注文或いはサービス情報要求が行え、さらにクレジットカードを使用して無線方式でリアルタイムで取引を完成でき、これにより、本考案の提出する無線取引環境は移動中の使用者が買い物する便利性を高める。本考案は遠端注文装置、サービスセンター、カード発行銀行、特約商店等がシリアル配列され、ゆえにムービングバリューチェーンと名づけている。
【０００８】
総合すると、本考案はその目的、手段、機能のいずれにおいても、従来の技術の特徴とは異なっており、ムービングバリューチェーンシステム及びその方法の一大突破である。なお、以上の実施例は本考案の実施範囲を限定するものではなく、本考案に基づきなしうる細部の修飾或いは改変は、いずれも本考案の請求範囲に属するものとする。
【考案を実施するための最良の形態】
【０００９】
本考案は一種のムービングバリューチェーンシステムを提供し、それは、少なくとも一つの遠端注文装置、クレジットカードネットワークメカニズム、及びサービスセンターサーバーを具えている。遠端注文装置は入力装置と無線通信装置を具え、入力装置は注文情報を入力するのに用いられ、注文情報は注文したい商品及び又はサービスの項目及びその数量を定義し、無線通信装置はアドレス通信番号を定義し、並びにそのアドレス通信番号及び上述の注文情報を無線方式で伝送する。クレジットカードネットワークメカニズムはカード発行銀行及び複数の特約商店に連接され、そのうち、カード発行銀行には番号データベースと信用状態データベースが設けられ、番号データベースは少なくとも一つのアドレス通信番号及びその対応するクレジットカード番号を保存し、且つ信用状態データベースがクレジットカード番号の信用状態を保存する。サービスセンターサーバーはクレジットカードネットワークメカニズムに連接され、且つサービスセンターサーバーは遠端注文装置の無線通信装置の無線ログイン接続を受け、並びに無線通信装置の伝送したアドレス通信番号及び上述の注文情報を受信及び確認し、アドレス通信番号をクレジットカードネットワークメカニズムを経由してカード発行銀行に伝送し、カード発行銀行がアドレス通信番号に依り番号データベースより対応するクレジットカード番号を探し出し、信用状態データベース中でその信用状態に問題がないことを確認した後、授権コードをサービスセンターサーバーに伝送し、特約商店に商品及び又はサービスを提供するよう促しこうして取引を完成する。
【００１０】
本考案はまた一種のムービングバリューチェーンシステムを提供し、それは少なくとも一つの遠端注文装置、一つのネットワークメカニズム、及び一つのサービスセンターサーバーを具えている。各遠端注文装置は入力装置及び無線通信装置を具え、入力装置は注文情報を入力し、注文情報は注文したい商品及び又はサービスの項目及びその数量を定義し、無線通信装置は上述の注文情報を無線方式で伝送し、ネットワークメカニズムは複数の特約商店に接続され、サービスセンターサーバーはネットワークメカニズムに接続され、並びに遠端注文装置の無線通信装置の無線ログイン接続を受け、並びに上述の注文情報を受け取り、注文情報をネットワークメカニズムを経由して特約商店に伝送し、特約商店が商品及び又はサービスを提供し取引を完成する。
【実施例１】
【００１１】
図１は本考案の第１実施例のシステム構造図であり、本実施例では、機動車両（Ｍｏｔｏｒ  Ｖｅｈｉｃｌｅ）にオンボードユニット１（Ｏｎ−Ｂｏａｒｄ  Ｕｎｉｔ）を組み付けて遠端注文装置となし、サービスセンターサーバー３に向けて商品及び又はサービスを注文するのに使用する場合を例として説明する。オンボードユニット１はＧＳＭモジュール１２（無線通信装置）を具え、ＧＳＭモジュール１２の入力キーボード（入力装置１１）は注文したい商品及び又はサービスの項目及びその数量（注文情報１１１）を入力するのに用いられ、且つＧＳＭモジュール１２は携帯電話番号１２１（アドレス通信番号）を具え、これにより機動車量のオーナーがオンボードユニット１を透過してサービスセンターサーバー３に向けて商品及び又はサービスを注文する時、オンボードユニット１が携帯電話番号１２１及び注文情報１１１を併せて無線方式でサービスセンターサーバー３に伝送することができる。
【００１２】
サービスセンターサーバー３はオンボードユニット１の無線ログイン接続を受け取ると、まず携帯電話番号１２１（呼び出し表示）及び注文情報１１１を受け取り、並びに注文情報１１１に依り今回の取引金額１１０を計算し、例えば注文情報１１１が二束の、単価１５米ドルの花束であれば、サービスセンターサーバー３が取引金額１１０が３０米ドルであると計算し、その後、携帯電話番号１２１及び取引金額１１０をクレジットカードネットワークメカニズム２に伝送する。そのうち、上述の注文情報１１１は有形商品（例えば映画館や娯楽施設のチケット、衣服、旅館予約、レストラン予約）及び又は無形サービス（例えばビューポイント紹介、オンライン占い、マルチメディアオーディオビデオ番組、メインテナンス修理）の注文項目及び数量を広く指す。
【００１３】
図示されるように、クレジットカードネットワークメカニズム２にはカード発行銀行２１及び複数の特約商店２２、２３、２４が接続されている。そのうち、カード発行銀行２１に番号データベース２１１及び信用状態データベース２１２が設けられ、番号データベース２１１中に複数の携帯電話番号１２１とそれに対応する複数のクレジットカード番号２１０が保存され、信用状態データベース２１２はこれらクレジットカード番号２１０に対応する個別信用状態が保存されている。
【００１４】
ゆえにカード発行銀行２１がクレジットカードネットワークメカニズム２を経由してサービスセンターサーバー３からの携帯電話番号１２１及び取引金額１１０を受信すると、カード発行銀行２１はまず携帯電話番号１２１によりその番号データベース２１１中よりこの携帯電話番号１２１に対応するクレジットカード番号２１０を探し出し、さらにクレジットカード番号２１０と取引金額１１０を併せて信用状態データベース２１２中でこのクレジットカード番号２１０の信用状態と信用額度を確認し、問題がないことを確認した後、カード発行銀行２１が授権コード２１４を伝送してサービスセンターサーバー３に通知し、サービスセンターサーバー３に注文情報１１１に列記されたサービスを提供するよう促すか、或いは特約商店２２、２３、２４に商品Ｍを提供するよう通知し、こうして取引を完成する。
【００１５】
注意すべきは、上述の番号データベース２１１中に保存されている携帯電話番号１２１は最も好ましくは一対一でクレジットカード番号２１０に対応し、一つの個人クレジットカード帳簿に記帳されるということである。しかし当然、複数の携帯電話番号１２１が多対一を以て一つのクレジットカード番号に対応し、一つの会社のクレジットカード帳簿に記帳される形態も可能であり、例えば、多数の機動車両がいずれも会社の公用車であり、且つそれぞれ社長、副社長或いは経理部長により使用されて、サービスセンターサーバー３に対して公務に必要な商品及び又はサービスを注文する時、各車両に付設された携帯電話番号は異なるため、番号データベース２１１中にあってこれらの異なる携帯電話番号が同一の会社のクレジットカードに対応し記帳されるようにすることが可能で、或いは夫婦がそれぞれ異なる機動車両を有して並びに異なる携帯電話を有している場合にも、妻の携帯電話番号が番号データベース２１１にあって夫のクレジットカードに対応し、それにより支払われる形態が可能である。
【００１６】
図１に示されるように、本実施例のサービスセンターサーバー３はインタラクティブ音声応答装置３０（Ｉｎｔｅｒａｃｔｉｖｅ  Ｖｏｉｃｅ  Ｒｅｓｐｏｎｓｅ；ＩＶＲ）を具え、それは商品データベース３１中の商品情報、及び情報サービスデータベース３２中のサービス情報を保存し、音声方式でオンボードユニット１のＧＳＭモジュール１２に自動応答することができる。商品データベース３１は各一つの特約商店２２、２３、２４の提供する有形商品Ｍ情報を保存し、それは、商品項目、型番、単価、特約商店住所、電話番号、ファクシミリ番号、販売情報、取引方式、支払い方式等の情報を含む。情報サービスデータベース３２は気象局４１、交通局４２、及び株式分析４３等の情報提供者（Ｉｎｆｏｒｍａｔｉｏｎ  Ｐｒｏｖｉｄｅｒ）の提供する各種の無形サービス情報を保存する。
【００１７】
図３も併せて参照されたい。図３はインタラクティブ音声応答装置３０の提供する音声応答構造を示す。それは好ましくは階層式音声構造とされるが、当然、その他の周知のデータ構造に設計することもできる。例えば、車主がＤ花店で１束２５米ドルのバラを購入したい時、ＧＳＭモジュール１２を使用してサービスセンターサーバー３に向けて無線ログインする。この時、サービスセンターサーバー３は商品データベース３１中の商品データをキャプチャし、並びにインタラクティブ音声応答装置３０を透過してＧＳＭモジュール１２に応答する。そのうち、インタラクティブ音声応答装置３０は図３に示される構造に基づき音声で対話を自動発生する。
【００１８】
車主は花束を注文したいので、第１階の番号「２」を選択し、花店の選択項に進入する。さらにインタラクティブ音声応答装置３０の指示により、入力キーボード（入力装置１１）で第２階の「２」を押してＤ花店を選択し、第３階の「２」のバラ、第４階の「２」で２０米ドルを選択する。もし車主がすでに必要なサービス番号を承知していれば、当然直接「２２２２」を押して花束を注文することもでき、これによりインタラクティブ音声応答装置３０の応答を聴く長い時間を節約することができる。そのうち注意すべきは、図３に示されるＡ映画館、Ｂ映画館、Ｃ花店、Ｄ花店は、いずれもサービスセンターサーバー３が合作関係を有する特約商店である。
【００１９】
同様に、図４のインタラクティブ音声応答装置３０の提供する情報サービスの構造表示図中、車主が国道北部地方の中山高速の道路状況を知りたい時には、ＧＳＭモジュール１２を使用してサービスセンターサーバー３に無線ログインし、並びに第１階の「６」を選択して「交通情報」選択項目に進入し、さらに順にインタラクティブ音声応答装置３０の指示に依り、入力キーボードで第２階の「１」を押して国道情報を、第３階の「１」を押して北部を、及び第４階の「１」を押して中山高を選択するか、或いは直接「６１１１」を入力して道路状況サービスを聴取する。
【００２０】
このほか、サービスセンターサーバー３はインターネット４を経由して特約商店２２、２３、２４に接続し、自動的にその提供する商品Ｍ情報を更新する。また、気象局４１、交通局４２及び株式分析４３等の情報提供者に接続してサービス情報を自動更新する。サービスセンターサーバー３の商品情報或いはサービス情報更新の方式は、最も好ましくはリアルタイムでの更新であるが、定時更新、例えば半時間に一回更新という方式も可能である。
【００２１】
車主身分を確認して、オンボードユニット１のＧＳＭモジュール１２の携帯電話番号１２１の代表するクレジットカード番号２１０が他人に盗用されるのを防止するため、オンボードユニット１は暗号チェックメカニズムを実行し、すなわち、車主に注文前に先に入力装置１１で暗号を入力するよう要求し（例えば携帯電話ＰＩＮ番号、或いは車主が自分で設定した個人暗唱番号）、正確な暗号入力されてはじめて、オンボードユニット１が携帯電話番号１２１と注文情報１１１をサービスセンターサーバー３に無線伝送してクレジットカード取引を行う。もし暗号入力が連続３回エラーとなると、オンボードユニット１はＧＳＭモジュール１２を自動ロックし、無線伝送を拒絶し、この時、車主は自分でサービスセンターサーバー３に連絡してロック解除を求めなければならない。サービスセンターサーバー３には顧客データベース３３が設けられてそれに顧客の基本データ、及び顧客の携帯電話番号１２１が保存され、これにより、サービスセンターサーバー３は安全チェックメカニズムを実施でき、すなわち、車主が答える基本情報と顧客データベース３３中の基本データを対比してエラーがない時にはじめて、ショートメッセージ方式でロック解除命令をオンボードユニット１に伝送してロックを解除する。
【００２２】
このほか、サービスセンターサーバー３はさらにＧＳＭモジュール１２に対して強制ロック動作を行うことができる。例えば、機動車両が盗難に遇った時、車主がサービスセンターサーバー３に連絡してＧＳＭモジュール１２の使用権限をロックすることを求める。このとき、サービスセンターサーバー３はまず上述の安全チェックメカニズムで車主基本情報を対比してエラーがないことを確認した後、オンボードユニット１のＧＳＭモジュール１２にダイアルし、接続成功後に、ショートメッセージ方式でロック命令を伝送し、強制ロック作業を行い、泥棒が車主のクレジットカードを乱用して金融取引を行うのを防止する。
【００２３】
上述の安全チェックメカニズムはまた、サービスセンターサーバー３がＧＳＭモジュール１２が無線伝送された携帯電話番号１２１を受け取った時に、携帯電話番号１２１と顧客データベース３３中に保存された顧客基本データを対比し、身分にエラーがないことを確認した後、サービスセンターサーバー３がさらに車主の携帯電話番号１２１と今回取引金額１１０を併せてクレジットカードネットワークメカニズム２を経由してカード発行銀行２１に伝送し、取引の安全性を確保する機能を有するものとされうる。
【００２４】
上述のサービスセンターサーバー３の安全チェックメカニズムは、サービス員が人工方式で顧客データベース３３中の顧客基本データと対比するほか、インタラクティブ音声応答方式を使用して車主データを自動対比し、並びに乱数方式でサンプリング問答を行い、例えば車主の姓名、ＩＤナンバー、或いは自宅電話、生年月日等を尋ね、インタラクティブ音声応答方式で毎回提出する問題が異なるようにし、こうして更に車主の身分の正確性を確保できるようにし、並びに盗用を防止できるようにする形態も可能である。
【００２５】
このほか、図１に示されるように、機動車両のオンボードユニット１はさらにＧＰＳモジュール１３を具え、それは機動車両の当時の位置情報を提供する。ＧＰＳモジュール１３もまた取引の安全性を確保でき、例えばオンボードユニット１とサービスセンターサーバー３が取引を行う時、オンボードユニット１がＧＰＳモジュール１３の車両の当時の座標値（Ｘ，Ｙ値）、及び時間データ、並びに車主の身分証番号、携帯電話番号１２１、或いは取引シリアルナンバー等の情報を併せてエンコードしチェックサムを計算して更に無線伝送し、サービスセンターサーバー３が受信後にデコードする。こうして一方で機動車両の取引期間の所在の位置を追跡でき、また一方で無線伝送の安全性を確保できる。
【００２６】
機動車両がＧＰＳモジュール１３を有することにより、車主がオンボードユニット１を透過してサービスセンターサーバー３に商品及び又はサービスを注文する時、サービスセンターサーバー３はさらにＧＰＳモジュール１３を透過して送られた当時の位置情報により、現在の機動車両の所在位置に近隣の特約商店或いは情報提供者データを提供するか、或いは車主が目的地のホテルや旅館及び周辺の店の情報を検索するのに供され、車主が機動車両で移動する期間に、続けて最新情報及び必要情報を掌握できるようにする。例えば、現在所在位置の道路情報を提供できる。或いは車主が併せて目的地の位置情報を入力した後に、サービスセンターサーバー３が現在位置から目的地の間のナビゲーション情報及び詳細な道路状況を送り返し、車主が路線を選択する参考に供する。
【００２７】
車主が本実施例の取引環境を以てサービスセンターサーバー３に商品又はサービスを注文する時は、図２のフローチャートに示されるステップが実行される。
【００２８】
まず、車主がＧＳＭモジュール１２を使用してサービスセンターサーバー３にダイアルし、商品又はサービスの情報を提供するよう要求し、これによりサービスセンターサーバー３はオンボードユニット１のＧＳＭモジュール１２の無線ログイン接続を受け（ステップＳ２０１）、並びにＧＳＭモジュール１２の伝送した携帯電話番号１２１を受け取る（ステップＳ２０２）。その後、サービスセンターサーバー３は商品データをオンボードユニット１に伝送し（ステップＳ２０３）、車主にその必要とする商品又はサービスを選択させる。そのうち、サービスセンターサーバー３は無線伝送方式で商品及び又はサービスデータを遠端注文装置に送り、例えば、ＧＳＭデータ伝送、ショートメッセージサービス、或いはディジタルブロードキャスティング方式を使用する。当然、サービスセンターサーバー３が定期的にＣＤ、ＩＣカードを発行して各種商品及びサービス情報を保存し、並びにオンボードユニット１に増設されたカードリーダーで内容を読み取る形態も可能である。車主はオンボードユニット１の入力装置１１（入力キーボード）で購入したい商品又はサービスを入力し、商品項目及び数量を含む注文情報１１１を形成し、その後、さらにＧＳＭモジュール１２を透過して注文情報１１１をサービスセンターサーバー３に無線伝送し、これによりサービスセンターサーバー３がオンボードユニット１のＧＳＭモジュール１２の伝送した注文情報１１１を受信し並びに確認し（ステップＳ２０４）、並びに注文情報１１１に依り今回取引金額１１０を計算する（ステップＳ２０５）。
【００２９】
続いて、サービスセンターサーバー３はまず安全チェックメカニズムを実行してＧＳＭモジュール１２が無線伝送した携帯電話番号１２１と顧客データベース３３に保存された顧客データを対比して車主身分を確認し（ステップＳ２０６）、エラー無しと確認した後で、サービスセンターサーバー３がさらに計算した今回取引金額１１０を携帯電話番号１２１と併せてクレジットカードネットワークメカニズム２を経由してカード発行銀行２１に伝送し（ステップＳ２０７）、カード発行銀行２１が携帯電話番号１２１に依り番号データベース２１１中より対応するクレジットカード番号２１０を探し出し、さらに今回取引金額とクレジットカード番号２１０を併せて信用状態データベース２１２に伝送し、このクレジットカード番号２１０の信用状態及び信用額度を確認し、エラー無しと確認した後、授権コード２１４をサービスセンターサーバー３に伝送する（ステップＳ２０８）。この時サービスセンターサーバー３は直接注文情報１１１に列記されたサービスを提供するか、或いは間接的に特約商店２２、２３、２４に商品Ｍを提供するよう通知し取引を完成する（ステップＳ２０９）。取引完成後、サービスセンターサーバー３はさらにショートメッセージを使用して取引完成の情報を車主のＧＳＭモジュール１２に伝送して車主に通知することが可能である。
【００３０】
このほか、取引過程中に、車主はサービス員或いはインタラクティブ音声応答装置３０を透過して自分で商品受け取り方式を選択することができる。例えば映画館チケットを車主の住所に郵送したり、バレンタインデーの花束を特定地点の対象に送ったり、車主の指定地点で商品を受け取るようにすることができる（例えばサービスセンターとコンビニエンスストアが協力し、車主が直接指定したコンビニエンスストアで商品を受け取れるようにする）。或いは車主がホテルの部屋を予約する時、直接ホテルのフロントでチェックインすることができる。
【００３１】
本実施例の取引環境は、機動車両上のオンボードユニット１を遠端注文装置として説明を行っており、並びにＧＳＭモジュール１２を無線通信装置とし、入力キーボードを入力装置１１とし、且つアドレス通信番号はＧＳＭモジュール１２の携帯電話番号１２１としている。当然、遠端注文装置は携帯情報端末（ＰＤＡ）、飛行機上の視聴システム、飛行場或いは駅周辺のキオスク、或いはその他の等しい効果を有する移動装置上に取り付けられうる。無線通信装置はまたＧＰＲＳモジュール、衛星通信電話等、音声或いはデータ伝送を行える装置とされうる。そのうち、ＧＰＲＳモジュールは随時連続的に無線方式でサービスセンターサーバー３の伝送する商品及び又はサービス情報（ｄａｔａ）を受信できる。アドレス通信番号はＰＤＡのｅメ−ルアドレスとされうるほか、インターネットの固定アドレス（Ｆｉｘｅｄ  Ａｄｄｒｅｓｓ、例えばＴＣＰ／ＩＰ）とされうる。入力装置は、クイックキー、確認キー或いはタッチパネルとされうる。
【００３２】
遠端注文装置が飛行機上の視聴システムに組み付けられた場合を例とし、飛行機が東京に向かい、飛行機上の視聴システムが統一されて機上衛星通信電話（或いはその他の無線通信装置）を経由して陸地上のサービスセンターサーバーに連結されているものとする。そのうちサービスセンターサーバーの特約商店は目的地東京のホテル、レストラン、レンタカー会社、及びビューポイントサービス所等とされええる。且つ各一つの飛行機の座席がアドレス通信番号を具え、且つその視聴システムは目的地東京の上述の特約商店の提供する商品及び又はサービスを表示できる。これにより乗客は事前に航空会社にそのクレジットカード番号及座席アドレス通信番号の知追う関係を登録するよう要求でき、ゆえに飛行機が目的地東京に到着する前に、先に飛行機上の視聴システムのタッチパネル上で必要な目的地の商品又はサービスを検索並びに選択でき、さらに飛行機の衛星通信電話を透過して注文情報及びそのアドレス通信番号を無線で陸地上のサービスセンターサーバーに伝送し、その後端の取引行為がその乗客のアドレス通信番号に対応するクレジットカード番号に記帳され、その他は前述の実施例と同じであるため説明を省略する。
【００３３】
続いて、図５は本考案の第２実施例のシステム構造図であり、本実施例は機動車両上にオンボードユニット５を組み付けて遠端注文装置とし、サービスセンターサーバー６を用いて商品又はサービスを注文するのに用いる場合を例としている。本実施例のオンボードユニット５の構造は第１実施例と同じであり、それは、ＧＳＭモジュール５２、及びＧＳＭモジュール５２に配備された入力装置５１（入力キーボード）を具えている。機動車両の車主がオンボードユニット５を透過してサービスセンターサーバー６に商品又はサービスを注文したい時、オンボードユニット５は入力キーボードより入力された注文情報５１１をＧＳＭモジュール５２を経由してサービスセンターサーバー６に伝送する。
【００３４】
サービスセンターサーバー６はインターネット７（ネットワークメカニズム）を経由して商品を提供する特約商店２５、２６、２７に接続され、これによりサービスセンターサーバーがオンボードユニット５の無線ログイン接続を受ける時、受信した注文情報５１１に基づき、インターネット７を透過して特約商店２５、２６、２７に伝送し、特約商店２５、２６、２７に商品を提供して取引を完成するよう促す。これにより、サービスセンターサーバー６は特約商店２５、２６、２７から仲介費用を受け取る。
【００３５】
このほか、サービスセンターサーバー６はまたインターネット７を経由して例えば気象局７１、交通局７２、及び株式分析７３等の無形サービス情報の情報提供者に接続可能で、ゆえにサービスセンターサーバー６は受信した注文情報５１１を、インターネット７を透過して情報提供者に伝送し、情報提供者にサービスを提供して取引を完成するように促す。そのうち、上述のサービスが単純な情報提供（気象情報、或いは交通道路状況等）であれば、サービスセンターサーバーは毎月定期に車主より月会費を徴収する。もし、バリューサービス（株式分析）であれば、サービスセンターサーバー６は直接特約証券コンサルタント会社に接続し、並びに特約証券顧問会社より仲介費用を徴収する。
【００３６】
図５に示されるように、本考案のサービスセンターサーバー６は直接インターネット７を透過して特約商店２５、２６、２７に接続でき、また、インタラクティブ音声応答装置６０により商品データベース６１中に保存された商品情報、及び情報サービスデータベース６２中に保存されたサービス情報を音声方式でオンボードユニット５のＧＳＭモジュール５２に自動応答する。そのうち、本例のインタラクティブ音声応答装置６０、商品データベース６１及び、情報サービスデータベース６２の構造は第１実施例と同じであり、ゆえにここでは説明を省略する。
【００３７】
このほか、サービスセンターサーバー６はインターネット７を経由して特約商店２５、２６、２７に接続し、その提供する商品Ｍの情報を自動更新しうる。また、情報サービス提供者に接続してサービス情報を自動更新することもできる。サービスセンターサーバー６の商品情報或いはサービス情報更新の方式は、最も好ましくは、リアルタイム更新であるが、当然定時更新、例えば半時間ごとに一回更新する形態も可能である。
【００３８】
図５中、機動車両のオンボードユニット５はさらにＧＰＳモジュール５３を具え、機動車両の当時の位置情報を表示するのに用いられる。これにより車主はオンボードユニット５よりサービスセンターサーバー６の商品或いはサービスを注文する時、サービスセンターサーバー６がＧＰＳモジュール５３の伝送する位置情報に基づき、現在の機動車両の所在位置の近隣の特約商店或いは情報提供者データを提供し、車主が目的地のホテル及び周辺の商店の情報を検索するのに供し、車主が機動車両移動期間に、最新情報を続けて掌握できるようにする。
【００３９】
車主が本実施例の取引環境でサービスセンターサーバー６に対して商品又はサービスを注文する時については、図６のフローチャートのステップを参照されたい。
【００４０】
まず、車主がＧＳＭモジュール５２を使用してサービスセンターサーバー６にダイアルし、商品又はサービスの情報を提供するよう要求し、これによりサービスセンターサーバー６はオンボードユニット５のＧＳＭモジュール５２の無線ログイン接続を受け（ステップＳ６０１）、その後、サービスセンターサーバー６が商品データをオンボードユニット５に提供し（ステップＳ６０２）、車主に必要な商品或いはサービスを選択させる。車主はオンボードユニット５の入力キーボードを透過して注文する商品或いはサービスを入力し、商品項目と数量を含む注文情報５１１を形成し、その後、さらにＧＳＭモジュール５２を透過して注文情報５１１をサービスセンターサーバー６に無線伝送し、これによりサービスセンターサーバー６がオンボードユニット５のＧＳＭモジュール５２の伝送した注文情報５１１を受け取り（ステップＳ６０３）、その後、サービスセンターサーバー６がさらに注文情報５１１を特約商店２５、２６、２７に伝送し（ステップＳ６０４）、この時、特約商店２５、２６、２７は注文情報５１１に基づき商品或いはサービスを提供し取引を完成する。
【００４１】
取引完成後、車主は支払い方式を選択でき、例えば特約商店印刷カードによる支払い、現金支払い、或いは郵便振込、カード支払いが行える。また、商品受け取り方式も選択でき、例えば、特約商店２５、２６、２７に自ら出向いて受け取ったり、郵送が可能である。
【００４２】
本実施例の取引環境はオンボードユニット５が遠端注文装置とされ、並びに機動車両に取り付けられ、ＧＳＭモジュール５２が無線通信装置とされ、入力キーボードが入力装置５１とされている。当然、これらはその他の同じ効果を有する装置を使用することもでき、第１実施例において詳細に各種の等しい効果の装置について説明したので、ここでは説明を省略する。
【図面の簡単な説明】
【００４３】
【図１】本考案の第１実施例のシステム構造ブロック図である。
【図２】本考案の第１実施例のフローチャートである。
【図３】本考案の第１実施例のインタラクティブ音声応答装置の提供する商品の構造表示図である。
【図４】本考案の第１実施例のインタラクティブ音声応答装置の提供する情報サービスの構造表示図である。
【図５】本考案の第２実施例のシステム構造ブロック図である。
【図６】本考案の第２実施例のフローチャートである。
【符号の説明】
【００４４】
１  オンボードユニット    １１、５１  入力装置（又は入力キーボード）
１１０  今回取引金額      １１１、５１１  注文情報
１２、５２  ＧＳＭモジュール    １２１  携帯電話番号
１３、５３  ＧＰＳモジュール
２  クレジットカードネットワークメカニズム
２１  カード発行銀行        ２１１  番号データベース
２１２  信用状態データベース    ２１４  授権コード
２２〜２７  特約商店        ３、６  サービスセンターサーバー
３０、６０  インタラクティブ音声応答装置
３１、６１  商品データベース    ３２、６２  情報サービスデータベース
３３  顧客データベース
４、７  インターネット          ４１、７１  気象局
４２、７２  交通局              ４３、７３  株式分析
Ｍ  商品
【図１】
0003119960.tif 000003
【図２】
0003119960.tif 000004
【図３】
0003119960.tif 000005
【図４】
0003119960.tif 000006
【図５】
0003119960.tif 000007
【図６】
0003119960.tif 000008
【手続補正書】
【提出日】平成18年1月25日(2006.1.25)
【手続補正１】
【補正対象書類名】実用新案登録請求の範囲
【補正対象項目名】全文
【補正方法】変更
【補正の内容】
【実用新案登録請求の範囲】
【請求項１】
ムービングバリューチェーン装置において、
少なくとも一つの遠端注文装置とされ、各遠端注文装置が一つの入力装置と、一つの無線通信装置を具え、該入力装置が注文情報の入力に用いられ、該注文情報が注文したい商品及び又はサービスの項目及びその数量を定め、該無線通信装置が一つのアドレス通信番号を定義し、並びにそのアドレス通信番号、及び上述の注文情報を無線方式で伝送する、上記少なくとも一つの遠端注文装置と、
クレジットカードネットワークメカニズムとされ、カード発行銀行、及び複数の特約商店に接続され、該カード発行銀行が番号データベース及び信用状態データベースを具え、該番号データベースが少なくとも一つのアドレス通信番号及びそれに対応するクレジットカード番号を保存し、且つ該信用状態データベースが該クレジットカード番号の信用状態を保存する、上記クレジットカードネットワークメカニズムと、
サービスセンターサーバーとされ、該クレジットカードネットワークメカニズムに接続され、該サービスセンターサーバーが該遠端注文装置の無線通信装置の無線ログイン接続を受け、並びに該無線通信装置の伝送するアドレス通信番号及び上述の注文情報を受信でき、並びに該アドレス通信番号を該クレジットカードネットワークメカニズムを経由してカード発行銀行に伝送し、該カード発行銀行が該アドレス通信番号に基づき該番号データベース中より対応するクレジットカード番号を探し出し、これにより該信用状態データベース中においてその信用状態に問題がないことを確認した後に、授権コードを該サービスセンターサーバーに伝送し、これによりサービスセンターサーバーが該特約商店に商品及び又はサービスを提供するよう促して取引を完成する、上記サービスセンターサーバーと、
を具え、遠端注文装置が暗号チェックメカニズムを具え、それが入力装置で入力された個人暗号にエラー無しと判断した後に、無線通信装置が注文情報を無線伝送することを特徴とする、ムービングバリューチェーン装置。
【請求項２】
請求項１に記載のムービングバリューチェーン装置において、無線通信装置がオンボードユニットとされ、アドレス通信番号が携帯電話の携帯電話番号とされ、且つ入力装置が携帯電話の入力キーボードとされたことを特徴とする、ムービングバリューチェーン装置。
【請求項３】
請求項１に記載のムービングバリューチェーン装置において、サービスセンターサーバーが顧客データベース及び安全チェックメカニズムを具え、該顧客データベースが複数の顧客基本データ及びそのアドレス通信番号を保存し、該安全チェックメカニズムは無線通信装置が伝送したアドレス通信番号を顧客データベース中の対応する顧客基本データと対照しエラー無しと判断した後に、サービスセンターサーバーがアドレス通信番号をクレジットカードネットワークメカニズムを経由してカード発行銀行に伝送するのを許可することを特徴とする、ムービングバリューチェーン装置。
【請求項４】
ムービングバリューチェーン装置において、
少なくとも一つの遠端注文装置とされ、各遠端注文装置が一つの入力装置と、一つの無線通信装置を具え、該入力装置が注文情報の入力に用いられ、該注文情報が注文したい商品及び又はサービスの項目及びその数量を定め、該無線通信装置が上述の注文情報を無線方式で伝送する、上記少なくとも一つの遠端注文装置と、
ネットワークメカニズムとされ、複数の特約商店に接続された、上記ネットワークメカニズムと、
サービスセンターサーバーとされ、該ネットワークメカニズムに接続され、該サービスセンターサーバーが該遠端注文装置の無線通信装置の無線ログイン接続を受け、並びに上述の注文情報を受信でき、並びに該注文情報を該ネットワークメカニズムを経由してこれら特約商店に伝送し、これら特約商店に商品及び又はサービスを提供するよう促して取引を完成させる、上記サービスセンターサーバーと、
を具え、サービスセンターサーバーが、特約商店の提供する商品情報を保存する商品データベースと、複数の特約情報提供者が提供するサービス情報を保存するサービス情報データベースを具えたことを特徴とする、ムービングバリューチェーン装置。
【請求項５】
請求項４に記載のムービングバリューチェーン装置において、サービスセンターサーバーが、インタラクティブ音声応答装置を具え、これにより商品及び又はサービス情報を音声方式で自動応答することを特徴とする、ムービングバリューチェーン装置。
【手続補正２】
【補正対象書類名】明細書
【補正対象項目名】全文
【補正方法】変更
【補正の内容】
【考案の詳細な説明】
【技術分野】
【０００１】
本考案は一種のムービングバリューチェーン（Ｍｏｖｉｎｇ  Ｖａｌｕｅ  Ｃｈａｉｎ；ＭＶＣ）装置及びその方法に係り、特に、移動中に無線方式で商品及び又はサービスを注文できる装置及びその方法であって、さらに、クレジットカードでリアルタイムで無線取引を完成できる装置及びその方法に関する。
【背景技術】
【０００２】
現在機動車両上に取り付けられる装置に、ＧＳＭ（Ｇｌｏｂａｌ  Ｓｙｓｔｅｍ  ｆｏｒ  Ｍｏｂｉｌｅ）無線電話装置があり、ドライバーと友人との連絡に供されるほか、ドライバーがサービスセンターにダイアルして各種情報サービス、例えば株式情報、気象予報、道路交通状況、ニュース、デパートセール情報、星占い等の情報を提供するよう要求するのに供される。このほか、機動車両には通常、ＧＰＳ（Ｇｌｏｂａｌ  Ｐｏｓｉｔｉｏｎｉｎｇ  Ｓｙｓｔｅｍ）が配置され、機動車両に当時の位置情報、及び付近の商店の情報を提供したり、或いはドライバーの行き先のホテル宿舎及び周辺商店の情報（例えば、旅館、レストラン、映画館、観光ポイント等の位置情報）を検索するのに供され、これによりドライバーは機動車両の走行期間に、続けて最新情報及び必要な情報を掌握することができる。
【０００３】
しかし、上述の周知の装置中、ドライバーがサービスセンターにダイアルする時、ドライバーのサービスセンターの提供する情報により各種の工商業の情報を獲られるに過ぎず、心ひかれる商品或いはサービスがあっても、ドライバーはリアルタイムに商品を購入或いはサービスを要求することはできない。またドライバーが周知のＧＳＭ無線電話装置で音声により商店に商品の予約をしたり、或いはサービスセンターに代理予約を委任する時、ドライバーは走行中に予約してリアルタイムに清算できないため、実際には取引は完成しておらず、往々にしてドライバーが商店に到達した時には、予約商品が他人に転売されているという状況が発生し、予約が無効となることがあり、経常的にドライバーと商店を困らせていた。
【考案の開示】
【考案が解決しようとする課題】
【０００４】
本考案の主要な目的は、一種のムービングバリューチェーン装置を提供し、移動中にリアルタイムで商品及び又はサービスの注文ができるようにすることにある。
【０００５】
本考案のもう一つの目的は、一種のムービングバリューチェーン装置を提供し、クレジットカードを使用し無線方式でリアルタイムで取引を完成できるようにすることにある。
【課題を解決するための手段】
【０００６】
請求項１の考案は、ムービングバリューチェーン装置において、
少なくとも一つの遠端注文装置とされ、各遠端注文装置が一つの入力装置と、一つの無線通信装置を具え、該入力装置が注文情報の入力に用いられ、該注文情報が注文したい商品及び又はサービスの項目及びその数量を定め、該無線通信装置が一つのアドレス通信番号を定義し、並びにそのアドレス通信番号、及び上述の注文情報を無線方式で伝送する、上記少なくとも一つの遠端注文装置と、
クレジットカードネットワークメカニズムとされ、カード発行銀行、及び複数の特約商店に接続され、該カード発行銀行が番号データベース及び信用状態データベースを具え、該番号データベースが少なくとも一つのアドレス通信番号及びそれに対応するクレジットカード番号を保存し、且つ該信用状態データベースが該クレジットカード番号の信用状態を保存する、上記クレジットカードネットワークメカニズムと、
サービスセンターサーバーとされ、該クレジットカードネットワークメカニズムに接続され、該サービスセンターサーバーが該遠端注文装置の無線通信装置の無線ログイン接続を受け、並びに該無線通信装置の伝送するアドレス通信番号及び上述の注文情報を受信でき、並びに該アドレス通信番号を該クレジットカードネットワークメカニズムを経由してカード発行銀行に伝送し、該カード発行銀行が該アドレス通信番号に基づき該番号データベース中より対応するクレジットカード番号を探し出し、これにより該信用状態データベース中においてその信用状態に問題がないことを確認した後に、授権コードを該サービスセンターサーバーに伝送し、これによりサービスセンターサーバーが該特約商店に商品及び又はサービスを提供するよう促して取引を完成する、上記サービスセンターサーバーと、
を具え、遠端注文装置が暗号チェックメカニズムを具え、それが入力装置で入力された個人暗号にエラー無しと判断した後に、無線通信装置が注文情報を無線伝送することを特徴とする、ムービングバリューチェーン装置としている。
請求項２の考案は、請求項１に記載のムービングバリューチェーン装置において、無線通信装置がオンボードユニットとされ、アドレス通信番号が携帯電話の携帯電話番号とされ、且つ入力装置が携帯電話の入力キーボードとされたことを特徴とする、ムービングバリューチェーン装置としている。
請求項３の考案は、請求項１に記載のムービングバリューチェーン装置において、サービスセンターサーバーが顧客データベース及び安全チェックメカニズムを具え、該顧客データベースが複数の顧客基本データ及びそのアドレス通信番号を保存し、該安全チェックメカニズムは無線通信装置が伝送したアドレス通信番号を顧客データベース中の対応する顧客基本データと対照しエラー無しと判断した後に、サービスセンターサーバーがアドレス通信番号をクレジットカードネットワークメカニズムを経由してカード発行銀行に伝送するのを許可することを特徴とする、ムービングバリューチェーン装置としている。
請求項４の考案は、ムービングバリューチェーン装置において、
少なくとも一つの遠端注文装置とされ、各遠端注文装置が一つの入力装置と、一つの無線通信装置を具え、該入力装置が注文情報の入力に用いられ、該注文情報が注文したい商品及び又はサービスの項目及びその数量を定め、該無線通信装置が上述の注文情報を無線方式で伝送する、上記少なくとも一つの遠端注文装置と、
ネットワークメカニズムとされ、複数の特約商店に接続された、上記ネットワークメカニズムと、
サービスセンターサーバーとされ、該ネットワークメカニズムに接続され、該サービスセンターサーバーが該遠端注文装置の無線通信装置の無線ログイン接続を受け、並びに上述の注文情報を受信でき、並びに該注文情報を該ネットワークメカニズムを経由してこれら特約商店に伝送し、これら特約商店に商品及び又はサービスを提供するよう促して取引を完成させる、上記サービスセンターサーバーと、
を具え、サービスセンターサーバーが、特約商店の提供する商品情報を保存する商品データベースと、複数の特約情報提供者が提供するサービス情報を保存するサービス情報データベースを具えたことを特徴とする、ムービングバリューチェーン装置としている。
請求項５の考案は、請求項４に記載のムービングバリューチェーン装置において、サービスセンターサーバーが、インタラクティブ音声応答装置を具え、これにより商品及び又はサービス情報を音声方式で自動応答することを特徴とする、ムービングバリューチェーン装置としている。
【考案の効果】
【０００７】
本考案は移動通信装置を使用し、移動中にリアルタイムで商品注文或いはサービス情報要求が行え、さらにクレジットカードを使用して無線方式でリアルタイムで取引を完成でき、これにより、本考案の提出する無線取引環境は移動中の使用者が買い物する便利性を高める。本考案は遠端注文装置、サービスセンター、カード発行銀行、特約商店等がシリアル配列され、ゆえにムービングバリューチェーンと名づけている。
【０００８】
総合すると、本考案はその目的、手段、機能のいずれにおいても、従来の技術の特徴とは異なっており、ムービングバリューチェーン装置及びその方法の一大突破である。なお、以上の実施例は本考案の実施範囲を限定するものではなく、本考案に基づきなしうる細部の修飾或いは改変は、いずれも本考案の請求範囲に属するものとする。
【考案を実施するための最良の形態】
【０００９】
本考案は一種のムービングバリューチェーン装置を提供し、それは、少なくとも一つの遠端注文装置、クレジットカードネットワークメカニズム、及びサービスセンターサーバーを具えている。遠端注文装置は入力装置と無線通信装置を具え、入力装置は注文情報を入力するのに用いられ、注文情報は注文したい商品及び又はサービスの項目及びその数量を定義し、無線通信装置はアドレス通信番号を定義し、並びにそのアドレス通信番号及び上述の注文情報を無線方式で伝送する。クレジットカードネットワークメカニズムはカード発行銀行及び複数の特約商店に連接され、そのうち、カード発行銀行には番号データベースと信用状態データベースが設けられ、番号データベースは少なくとも一つのアドレス通信番号及びその対応するクレジットカード番号を保存し、且つ信用状態データベースがクレジットカード番号の信用状態を保存する。サービスセンターサーバーはクレジットカードネットワークメカニズムに連接され、且つサービスセンターサーバーは遠端注文装置の無線通信装置の無線ログイン接続を受け、並びに無線通信装置の伝送したアドレス通信番号及び上述の注文情報を受信及び確認し、アドレス通信番号をクレジットカードネットワークメカニズムを経由してカード発行銀行に伝送し、カード発行銀行がアドレス通信番号に依り番号データベースより対応するクレジットカード番号を探し出し、信用状態データベース中でその信用状態に問題がないことを確認した後、授権コードをサービスセンターサーバーに伝送し、特約商店に商品及び又はサービスを提供するよう促しこうして取引を完成する。
【００１０】
本考案はまた一種のムービングバリューチェーン装置を提供し、それは少なくとも一つの遠端注文装置、一つのネットワークメカニズム、及び一つのサービスセンターサーバーを具えている。各遠端注文装置は入力装置及び無線通信装置を具え、入力装置は注文情報を入力し、注文情報は注文したい商品及び又はサービスの項目及びその数量を定義し、無線通信装置は上述の注文情報を無線方式で伝送し、ネットワークメカニズムは複数の特約商店に接続され、サービスセンターサーバーはネットワークメカニズムに接続され、並びに遠端注文装置の無線通信装置の無線ログイン接続を受け、並びに上述の注文情報を受け取り、注文情報をネットワークメカニズムを経由して特約商店に伝送し、特約商店が商品及び又はサービスを提供し取引を完成する。
【実施例１】
【００１１】
図１は本考案の第１実施例の装置構造図であり、本実施例では、機動車両（Ｍｏｔｏｒ  Ｖｅｈｉｃｌｅ）にオンボードユニット１（Ｏｎ−Ｂｏａｒｄ  Ｕｎｉｔ）を組み付けて遠端注文装置となし、サービスセンターサーバー３に向けて商品及び又はサービスを注文するのに使用する場合を例として説明する。オンボードユニット１はＧＳＭモジュール１２（無線通信装置）を具え、ＧＳＭモジュール１２の入力キーボード（入力装置１１）は注文したい商品及び又はサービスの項目及びその数量（注文情報１１１）を入力するのに用いられ、且つＧＳＭモジュール１２は携帯電話番号１２１（アドレス通信番号）を具え、これにより機動車量のオーナーがオンボードユニット１を透過してサービスセンターサーバー３に向けて商品及び又はサービスを注文する時、オンボードユニット１が携帯電話番号１２１及び注文情報１１１を併せて無線方式でサービスセンターサーバー３に伝送することができる。
【００１２】
サービスセンターサーバー３はオンボードユニット１の無線ログイン接続を受け取ると、まず携帯電話番号１２１（呼び出し表示）及び注文情報１１１を受け取り、並びに注文情報１１１に依り今回の取引金額１１０を計算し、例えば注文情報１１１が二束の、単価１５米ドルの花束であれば、サービスセンターサーバー３が取引金額１１０が３０米ドルであると計算し、その後、携帯電話番号１２１及び取引金額１１０をクレジットカードネットワークメカニズム２に伝送する。そのうち、上述の注文情報１１１は有形商品（例えば映画館や娯楽施設のチケット、衣服、旅館予約、レストラン予約）及び又は無形サービス（例えばビューポイント紹介、オンライン占い、マルチメディアオーディオビデオ番組、メインテナンス修理）の注文項目及び数量を広く指す。
【００１３】
図示されるように、クレジットカードネットワークメカニズム２にはカード発行銀行２１及び複数の特約商店２２、２３、２４が接続されている。そのうち、カード発行銀行２１に番号データベース２１１及び信用状態データベース２１２が設けられ、番号データベース２１１中に複数の携帯電話番号１２１とそれに対応する複数のクレジットカード番号２１０が保存され、信用状態データベース２１２はこれらクレジットカード番号２１０に対応する個別信用状態が保存されている。
【００１４】
ゆえにカード発行銀行２１がクレジットカードネットワークメカニズム２を経由してサービスセンターサーバー３からの携帯電話番号１２１及び取引金額１１０を受信すると、カード発行銀行２１はまず携帯電話番号１２１によりその番号データベース２１１中よりこの携帯電話番号１２１に対応するクレジットカード番号２１０を探し出し、さらにクレジットカード番号２１０と取引金額１１０を併せて信用状態データベース２１２中でこのクレジットカード番号２１０の信用状態と信用額度を確認し、問題がないことを確認した後、カード発行銀行２１が授権コード２１４を伝送してサービスセンターサーバー３に通知し、サービスセンターサーバー３に注文情報１１１に列記されたサービスを提供するよう促すか、或いは特約商店２２、２３、２４に商品Ｍを提供するよう通知し、こうして取引を完成する。
【００１５】
注意すべきは、上述の番号データベース２１１中に保存されている携帯電話番号１２１は最も好ましくは一対一でクレジットカード番号２１０に対応し、一つの個人クレジットカード帳簿に記帳されるということである。しかし当然、複数の携帯電話番号１２１が多対一を以て一つのクレジットカード番号に対応し、一つの会社のクレジットカード帳簿に記帳される形態も可能であり、例えば、多数の機動車両がいずれも会社の公用車であり、且つそれぞれ社長、副社長或いは経理部長により使用されて、サービスセンターサーバー３に対して公務に必要な商品及び又はサービスを注文する時、各車両に付設された携帯電話番号は異なるため、番号データベース２１１中にあってこれらの異なる携帯電話番号が同一の会社のクレジットカードに対応し記帳されるようにすることが可能で、或いは夫婦がそれぞれ異なる機動車両を有して並びに異なる携帯電話を有している場合にも、妻の携帯電話番号が番号データベース２１１にあって夫のクレジットカードに対応し、それにより支払われる形態が可能である。
【００１６】
図１に示されるように、本実施例のサービスセンターサーバー３はインタラクティブ音声応答装置３０（Ｉｎｔｅｒａｃｔｉｖｅ  Ｖｏｉｃｅ  Ｒｅｓｐｏｎｓｅ；ＩＶＲ）を具え、それは商品データベース３１中の商品情報、及び情報サービスデータベース３２中のサービス情報を保存し、音声方式でオンボードユニット１のＧＳＭモジュール１２に自動応答することができる。商品データベース３１は各一つの特約商店２２、２３、２４の提供する有形商品Ｍ情報を保存し、それは、商品項目、型番、単価、特約商店住所、電話番号、ファクシミリ番号、販売情報、取引方式、支払い方式等の情報を含む。情報サービスデータベース３２は気象局４１、交通局４２、及び株式分析４３等の情報提供者（Ｉｎｆｏｒｍａｔｉｏｎ  Ｐｒｏｖｉｄｅｒ）の提供する各種の無形サービス情報を保存する。
【００１７】
図３も併せて参照されたい。図３はインタラクティブ音声応答装置３０の提供する音声応答構造を示す。それは好ましくは階層式音声構造とされるが、当然、その他の周知のデータ構造に設計することもできる。例えば、車主がＤ花店で１束２５米ドルのバラを購入したい時、ＧＳＭモジュール１２を使用してサービスセンターサーバー３に向けて無線ログインする。この時、サービスセンターサーバー３は商品データベース３１中の商品データをキャプチャし、並びにインタラクティブ音声応答装置３０を透過してＧＳＭモジュール１２に応答する。そのうち、インタラクティブ音声応答装置３０は図３に示される構造に基づき音声で対話を自動発生する。
【００１８】
車主は花束を注文したいので、第１階の番号「２」を選択し、花店の選択項に進入する。さらにインタラクティブ音声応答装置３０の指示により、入力キーボード（入力装置１１）で第２階の「２」を押してＤ花店を選択し、第３階の「２」のバラ、第４階の「２」で２０米ドルを選択する。もし車主がすでに必要なサービス番号を承知していれば、当然直接「２２２２」を押して花束を注文することもでき、これによりインタラクティブ音声応答装置３０の応答を聴く長い時間を節約することができる。そのうち注意すべきは、図３に示されるＡ映画館、Ｂ映画館、Ｃ花店、Ｄ花店は、いずれもサービスセンターサーバー３が合作関係を有する特約商店である。
【００１９】
同様に、図４のインタラクティブ音声応答装置３０の提供する情報サービスの構造表示図中、車主が国道北部地方の中山高速の道路状況を知りたい時には、ＧＳＭモジュール１２を使用してサービスセンターサーバー３に無線ログインし、並びに第１階の「６」を選択して「交通情報」選択項目に進入し、さらに順にインタラクティブ音声応答装置３０の指示に依り、入力キーボードで第２階の「１」を押して国道情報を、第３階の「１」を押して北部を、及び第４階の「１」を押して中山高を選択するか、或いは直接「６１１１」を入力して道路状況サービスを聴取する。
【００２０】
このほか、サービスセンターサーバー３はインターネット４を経由して特約商店２２、２３、２４に接続し、自動的にその提供する商品Ｍ情報を更新する。また、気象局４１、交通局４２及び株式分析４３等の情報提供者に接続してサービス情報を自動更新する。サービスセンターサーバー３の商品情報或いはサービス情報更新の方式は、最も好ましくはリアルタイムでの更新であるが、定時更新、例えば半時間に一回更新という方式も可能である。
【００２１】
車主身分を確認して、オンボードユニット１のＧＳＭモジュール１２の携帯電話番号１２１の代表するクレジットカード番号２１０が他人に盗用されるのを防止するため、オンボードユニット１は暗号チェックメカニズムを実行し、すなわち、車主に注文前に先に入力装置１１で暗号を入力するよう要求し（例えば携帯電話ＰＩＮ番号、或いは車主が自分で設定した個人暗唱番号）、正確な暗号入力されてはじめて、オンボードユニット１が携帯電話番号１２１と注文情報１１１をサービスセンターサーバー３に無線伝送してクレジットカード取引を行う。もし暗号入力が連続３回エラーとなると、オンボードユニット１はＧＳＭモジュール１２を自動ロックし、無線伝送を拒絶し、この時、車主は自分でサービスセンターサーバー３に連絡してロック解除を求めなければならない。サービスセンターサーバー３には顧客データベース３３が設けられてそれに顧客の基本データ、及び顧客の携帯電話番号１２１が保存され、これにより、サービスセンターサーバー３は安全チェックメカニズムを実施でき、すなわち、車主が答える基本情報と顧客データベース３３中の基本データを対比してエラーがない時にはじめて、ショートメッセージ方式でロック解除命令をオンボードユニット１に伝送してロックを解除する。
【００２２】
このほか、サービスセンターサーバー３はさらにＧＳＭモジュール１２に対して強制ロック動作を行うことができる。例えば、機動車両が盗難に遇った時、車主がサービスセンターサーバー３に連絡してＧＳＭモジュール１２の使用権限をロックすることを求める。このとき、サービスセンターサーバー３はまず上述の安全チェックメカニズムで車主基本情報を対比してエラーがないことを確認した後、オンボードユニット１のＧＳＭモジュール１２にダイアルし、接続成功後に、ショートメッセージ方式でロック命令を伝送し、強制ロック作業を行い、泥棒が車主のクレジットカードを乱用して金融取引を行うのを防止する。
【００２３】
上述の安全チェックメカニズムはまた、サービスセンターサーバー３がＧＳＭモジュール１２が無線伝送された携帯電話番号１２１を受け取った時に、携帯電話番号１２１と顧客データベース３３中に保存された顧客基本データを対比し、身分にエラーがないことを確認した後、サービスセンターサーバー３がさらに車主の携帯電話番号１２１と今回取引金額１１０を併せてクレジットカードネットワークメカニズム２を経由してカード発行銀行２１に伝送し、取引の安全性を確保する機能を有するものとされうる。
【００２４】
上述のサービスセンターサーバー３の安全チェックメカニズムは、サービス員が人工方式で顧客データベース３３中の顧客基本データと対比するほか、インタラクティブ音声応答方式を使用して車主データを自動対比し、並びに乱数方式でサンプリング問答を行い、例えば車主の姓名、ＩＤナンバー、或いは自宅電話、生年月日等を尋ね、インタラクティブ音声応答方式で毎回提出する問題が異なるようにし、こうして更に車主の身分の正確性を確保できるようにし、並びに盗用を防止できるようにする形態も可能である。
【００２５】
このほか、図１に示されるように、機動車両のオンボードユニット１はさらにＧＰＳモジュール１３を具え、それは機動車両の当時の位置情報を提供する。ＧＰＳモジュール１３もまた取引の安全性を確保でき、例えばオンボードユニット１とサービスセンターサーバー３が取引を行う時、オンボードユニット１がＧＰＳモジュール１３の車両の当時の座標値（Ｘ，Ｙ値）、及び時間データ、並びに車主の身分証番号、携帯電話番号１２１、或いは取引シリアルナンバー等の情報を併せてエンコードしチェックサムを計算して更に無線伝送し、サービスセンターサーバー３が受信後にデコードする。こうして一方で機動車両の取引期間の所在の位置を追跡でき、また一方で無線伝送の安全性を確保できる。
【００２６】
機動車両がＧＰＳモジュール１３を有することにより、車主がオンボードユニット１を透過してサービスセンターサーバー３に商品及び又はサービスを注文する時、サービスセンターサーバー３はさらにＧＰＳモジュール１３を透過して送られた当時の位置情報により、現在の機動車両の所在位置に近隣の特約商店或いは情報提供者データを提供するか、或いは車主が目的地のホテルや旅館及び周辺の店の情報を検索するのに供され、車主が機動車両で移動する期間に、続けて最新情報及び必要情報を掌握できるようにする。例えば、現在所在位置の道路情報を提供できる。或いは車主が併せて目的地の位置情報を入力した後に、サービスセンターサーバー３が現在位置から目的地の間のナビゲーション情報及び詳細な道路状況を送り返し、車主が路線を選択する参考に供する。
【００２７】
車主が本実施例の取引環境を以てサービスセンターサーバー３に商品又はサービスを注文する時は、図２のフローチャートに示されるステップが実行される。
【００２８】
まず、車主がＧＳＭモジュール１２を使用してサービスセンターサーバー３にダイアルし、商品又はサービスの情報を提供するよう要求し、これによりサービスセンターサーバー３はオンボードユニット１のＧＳＭモジュール１２の無線ログイン接続を受け（ステップＳ２０１）、並びにＧＳＭモジュール１２の伝送した携帯電話番号１２１を受け取る（ステップＳ２０２）。その後、サービスセンターサーバー３は商品データをオンボードユニット１に伝送し（ステップＳ２０３）、車主にその必要とする商品又はサービスを選択させる。そのうち、サービスセンターサーバー３は無線伝送方式で商品及び又はサービスデータを遠端注文装置に送り、例えば、ＧＳＭデータ伝送、ショートメッセージサービス、或いはディジタルブロードキャスティング方式を使用する。当然、サービスセンターサーバー３が定期的にＣＤ、ＩＣカードを発行して各種商品及びサービス情報を保存し、並びにオンボードユニット１に増設されたカードリーダーで内容を読み取る形態も可能である。車主はオンボードユニット１の入力装置１１（入力キーボード）で購入したい商品又はサービスを入力し、商品項目及び数量を含む注文情報１１１を形成し、その後、さらにＧＳＭモジュール１２を透過して注文情報１１１をサービスセンターサーバー３に無線伝送し、これによりサービスセンターサーバー３がオンボードユニット１のＧＳＭモジュール１２の伝送した注文情報１１１を受信し並びに確認し（ステップＳ２０４）、並びに注文情報１１１に依り今回取引金額１１０を計算する（ステップＳ２０５）。
【００２９】
続いて、サービスセンターサーバー３はまず安全チェックメカニズムを実行してＧＳＭモジュール１２が無線伝送した携帯電話番号１２１と顧客データベース３３に保存された顧客データを対比して車主身分を確認し（ステップＳ２０６）、エラー無しと確認した後で、サービスセンターサーバー３がさらに計算した今回取引金額１１０を携帯電話番号１２１と併せてクレジットカードネットワークメカニズム２を経由してカード発行銀行２１に伝送し（ステップＳ２０７）、カード発行銀行２１が携帯電話番号１２１に依り番号データベース２１１中より対応するクレジットカード番号２１０を探し出し、さらに今回取引金額とクレジットカード番号２１０を併せて信用状態データベース２１２に伝送し、このクレジットカード番号２１０の信用状態及び信用額度を確認し、エラー無しと確認した後、授権コード２１４をサービスセンターサーバー３に伝送する（ステップＳ２０８）。この時サービスセンターサーバー３は直接注文情報１１１に列記されたサービスを提供するか、或いは間接的に特約商店２２、２３、２４に商品Ｍを提供するよう通知し取引を完成する（ステップＳ２０９）。取引完成後、サービスセンターサーバー３はさらにショートメッセージを使用して取引完成の情報を車主のＧＳＭモジュール１２に伝送して車主に通知することが可能である。
【００３０】
このほか、取引過程中に、車主はサービス員或いはインタラクティブ音声応答装置３０を透過して自分で商品受け取り方式を選択することができる。例えば映画館チケットを車主の住所に郵送したり、バレンタインデーの花束を特定地点の対象に送ったり、車主の指定地点で商品を受け取るようにすることができる（例えばサービスセンターとコンビニエンスストアが協力し、車主が直接指定したコンビニエンスストアで商品を受け取れるようにする）。或いは車主がホテルの部屋を予約する時、直接ホテルのフロントでチェックインすることができる。
【００３１】
本実施例の取引環境は、機動車両上のオンボードユニット１を遠端注文装置として説明を行っており、並びにＧＳＭモジュール１２を無線通信装置とし、入力キーボードを入力装置１１とし、且つアドレス通信番号はＧＳＭモジュール１２の携帯電話番号１２１としている。当然、遠端注文装置は携帯情報端末（ＰＤＡ）、飛行機上の視聴装置、飛行場或いは駅周辺のキオスク、或いはその他の等しい効果を有する移動装置上に取り付けられうる。無線通信装置はまたＧＰＲＳモジュール、衛星通信電話等、音声或いはデータ伝送を行える装置とされうる。そのうち、ＧＰＲＳモジュールは随時連続的に無線方式でサービスセンターサーバー３の伝送する商品及び又はサービス情報（ｄａｔａ）を受信できる。アドレス通信番号はＰＤＡのｅメ−ルアドレスとされうるほか、インターネットの固定アドレス（Ｆｉｘｅｄ  Ａｄｄｒｅｓｓ、例えばＴＣＰ／ＩＰ）とされうる。入力装置は、クイックキー、確認キー或いはタッチパネルとされうる。
【００３２】
遠端注文装置が飛行機上の視聴装置に組み付けられた場合を例とし、飛行機が東京に向かい、飛行機上の視聴装置が統一されて機上衛星通信電話（或いはその他の無線通信装置）を経由して陸地上のサービスセンターサーバーに連結されているものとする。そのうちサービスセンターサーバーの特約商店は目的地東京のホテル、レストラン、レンタカー会社、及びビューポイントサービス所等とされええる。且つ各一つの飛行機の座席がアドレス通信番号を具え、且つその視聴装置は目的地東京の上述の特約商店の提供する商品及び又はサービスを表示できる。これにより乗客は事前に航空会社にそのクレジットカード番号及座席アドレス通信番号の知追う関係を登録するよう要求でき、ゆえに飛行機が目的地東京に到着する前に、先に飛行機上の視聴装置のタッチパネル上で必要な目的地の商品又はサービスを検索並びに選択でき、さらに飛行機の衛星通信電話を透過して注文情報及びそのアドレス通信番号を無線で陸地上のサービスセンターサーバーに伝送し、その後端の取引行為がその乗客のアドレス通信番号に対応するクレジットカード番号に記帳され、その他は前述の実施例と同じであるため説明を省略する。
【００３３】
続いて、図５は本考案の第２実施例の装置構造図であり、本実施例は機動車両上にオンボードユニット５を組み付けて遠端注文装置とし、サービスセンターサーバー６を用いて商品又はサービスを注文するのに用いる場合を例としている。本実施例のオンボードユニット５の構造は第１実施例と同じであり、それは、ＧＳＭモジュール５２、及びＧＳＭモジュール５２に配備された入力装置５１（入力キーボード）を具えている。機動車両の車主がオンボードユニット５を透過してサービスセンターサーバー６に商品又はサービスを注文したい時、オンボードユニット５は入力キーボードより入力された注文情報５１１をＧＳＭモジュール５２を経由してサービスセンターサーバー６に伝送する。
【００３４】
サービスセンターサーバー６はインターネット７（ネットワークメカニズム）を経由して商品を提供する特約商店２５、２６、２７に接続され、これによりサービスセンターサーバーがオンボードユニット５の無線ログイン接続を受ける時、受信した注文情報５１１に基づき、インターネット７を透過して特約商店２５、２６、２７に伝送し、特約商店２５、２６、２７に商品を提供して取引を完成するよう促す。これにより、サービスセンターサーバー６は特約商店２５、２６、２７から仲介費用を受け取る。
【００３５】
このほか、サービスセンターサーバー６はまたインターネット７を経由して例えば気象局７１、交通局７２、及び株式分析７３等の無形サービス情報の情報提供者に接続可能で、ゆえにサービスセンターサーバー６は受信した注文情報５１１を、インターネット７を透過して情報提供者に伝送し、情報提供者にサービスを提供して取引を完成するように促す。そのうち、上述のサービスが単純な情報提供（気象情報、或いは交通道路状況等）であれば、サービスセンターサーバーは毎月定期に車主より月会費を徴収する。もし、バリューサービス（株式分析）であれば、サービスセンターサーバー６は直接特約証券コンサルタント会社に接続し、並びに特約証券顧問会社より仲介費用を徴収する。
【００３６】
図５に示されるように、本考案のサービスセンターサーバー６は直接インターネット７を透過して特約商店２５、２６、２７に接続でき、また、インタラクティブ音声応答装置６０により商品データベース６１中に保存された商品情報、及び情報サービスデータベース６２中に保存されたサービス情報を音声方式でオンボードユニット５のＧＳＭモジュール５２に自動応答する。そのうち、本例のインタラクティブ音声応答装置６０、商品データベース６１及び、情報サービスデータベース６２の構造は第１実施例と同じであり、ゆえにここでは説明を省略する。
【００３７】
このほか、サービスセンターサーバー６はインターネット７を経由して特約商店２５、２６、２７に接続し、その提供する商品Ｍの情報を自動更新しうる。また、情報サービス提供者に接続してサービス情報を自動更新することもできる。サービスセンターサーバー６の商品情報或いはサービス情報更新の方式は、最も好ましくは、リアルタイム更新であるが、当然定時更新、例えば半時間ごとに一回更新する形態も可能である。
【００３８】
図５中、機動車両のオンボードユニット５はさらにＧＰＳモジュール５３を具え、機動車両の当時の位置情報を表示するのに用いられる。これにより車主はオンボードユニット５よりサービスセンターサーバー６の商品或いはサービスを注文する時、サービスセンターサーバー６がＧＰＳモジュール５３の伝送する位置情報に基づき、現在の機動車両の所在位置の近隣の特約商店或いは情報提供者データを提供し、車主が目的地のホテル及び周辺の商店の情報を検索するのに供し、車主が機動車両移動期間に、最新情報を続けて掌握できるようにする。
【００３９】
車主が本実施例の取引環境でサービスセンターサーバー６に対して商品又はサービスを注文する時については、図６のフローチャートのステップを参照されたい。
【００４０】
まず、車主がＧＳＭモジュール５２を使用してサービスセンターサーバー６にダイアルし、商品又はサービスの情報を提供するよう要求し、これによりサービスセンターサーバー６はオンボードユニット５のＧＳＭモジュール５２の無線ログイン接続を受け（ステップＳ６０１）、その後、サービスセンターサーバー６が商品データをオンボードユニット５に提供し（ステップＳ６０２）、車主に必要な商品或いはサービスを選択させる。車主はオンボードユニット５の入力キーボードを透過して注文する商品或いはサービスを入力し、商品項目と数量を含む注文情報５１１を形成し、その後、さらにＧＳＭモジュール５２を透過して注文情報５１１をサービスセンターサーバー６に無線伝送し、これによりサービスセンターサーバー６がオンボードユニット５のＧＳＭモジュール５２の伝送した注文情報５１１を受け取り（ステップＳ６０３）、その後、サービスセンターサーバー６がさらに注文情報５１１を特約商店２５、２６、２７に伝送し（ステップＳ６０４）、この時、特約商店２５、２６、２７は注文情報５１１に基づき商品或いはサービスを提供し取引を完成する。
【００４１】
取引完成後、車主は支払い方式を選択でき、例えば特約商店印刷カードによる支払い、現金支払い、或いは郵便振込、カード支払いが行える。また、商品受け取り方式も選択でき、例えば、特約商店２５、２６、２７に自ら出向いて受け取ったり、郵送が可能である。
【００４２】
本実施例の取引環境はオンボードユニット５が遠端注文装置とされ、並びに機動車両に取り付けられ、ＧＳＭモジュール５２が無線通信装置とされ、入力キーボードが入力装置５１とされている。当然、これらはその他の同じ効果を有する装置を使用することもでき、第１実施例において詳細に各種の等しい効果の装置について説明したので、ここでは説明を省略する。
【図面の簡単な説明】
【００４３】
【図１】本考案の第１実施例の装置構造ブロック図である。
【図２】本考案の第１実施例のフローチャートである。
【図３】本考案の第１実施例のインタラクティブ音声応答装置の提供する商品の構造表示図である。
【図４】本考案の第１実施例のインタラクティブ音声応答装置の提供する情報サービスの構造表示図である。
【図５】本考案の第２実施例の装置構造ブロック図である。
【図６】本考案の第２実施例のフローチャートである。
【符号の説明】
【００４４】
１  オンボードユニット          １１、５１  入力装置（又は入力キーボード）
１１０  今回取引金額            １１１、５１１  注文情報
１２、５２  ＧＳＭモジュール    １２１  携帯電話番号
１３、５３  ＧＰＳモジュール
２  クレジットカードネットワークメカニズム
２１  カード発行銀行            ２１１  番号データベース
２１２  信用状態データベース    ２１４  授権コード
２２〜２７  特約商店            ３、６  サービスセンターサーバー
３０、６０  インタラクティブ音声応答装置
３１、６１  商品データベース    ３２、６２  情報サービスデータベース
３３  顧客データベース
４、７  インターネット          ４１、７１  気象局
４２、７２  交通局              ４３、７３  株式分析
Ｍ  商品